(57)【特許請求の範囲】
【請求項１】
四つの脚部に外枠部を連結固着するとともに、該外枠部の内面に格子状の暖房用面状ヒーターを収容する切り欠き段部を形成した内枠部を固着してなる堀ごたつ本体の該内枠部上に、天板を載置する堀ごたつの暖房用面状ヒーターの取付構造において、前記堀ごたつ本体の内枠部上の外枠部の内面に相対向する挿入溝を形成するとともに、該挿入溝に天板を挿着するとともに、分割可能な一対の脚部に連設された外枠部を固着することを特徴とする堀ごたつの暖房用面状ヒーターの取付構造。
【請求項２】
四つの脚部に外枠部を連結固着するとともに、該外枠部の内面に格子状の暖房用面状ヒーターを収容する切り欠き段部を形成した内枠部を固着してなる堀ごたつ本体の該内枠部上に、天板を載置する堀ごたつの暖房用面状ヒーターの取付構造において、前記切り欠き段部に収容された面状ヒーター上に断熱板を載置し、該堀ごたつ本体の内枠部上に載置された断熱板上の外枠部の内面に相対向する挿入溝を形成するとともに、該挿入溝に天板を挿着するとともに、分割可能な一対の脚部に連設された外枠部を固着することを特徴とする請求項１記載の堀ごたつの暖房用面状ヒーターの取付構造。
【請求項３】
面状ヒーター本体の裏面に合板を固着した面状ヒーターを格子状の内枠部に収容することを特徴とする請求項１又は請求項２記載の堀ごたつの暖房用面状ヒーターの取付構造。
【請求項４】
平行する桟材上に合板を固着したパネル本体の内部に面状ヒーターを収容し、面状ヒーターを側端部で連続コード接続する側面ヒーターパネルにおいて、側面ヒーターパネルの両側端の連結部に凹所を設け、連結コードの収め部を形成することを特徴とする堀ごたつの暖房用面状ヒーターの取付構造。
【発明の詳細な説明】
【０００１】
【発明の属する技術分野】
本発明は、堀ごたつの暖房用面状ヒーターを容易に収めて取り付ける構造に関する。
【０００２】
【従来の技術】
従来、堀ごたつの座卓部は、四つの脚部に外枠部を連結固着するとともに、該外枠部の内面に格子状の内枠部を固着してなる堀ごたつ本体の該内枠部上に、天板を載置する構造であった。
【０００３】
又、従来、堀ごたつの座卓部における暖房用面状ヒーターは、格子状の内枠部の裏側中央部にネジ固定されていた。
【０００４】
従来の堀ごたつの暖房用面状ヒーター取付構造の問題点は、ヒーター固定部に金属の露出部があるため、同じ温度でも木部は安全であるが、金属部は体感的にも熱く感じるため火傷などの可能性がある。又、電気部材の金属露出は危険なため取付ネジに絶縁処理などの必要があり、そのため、部材のコストもより高くなる。
【０００５】
又、堀ごたつの床下の箱体の側面に配置される暖房用面状ヒーターの取付構造は、堀ごたつの暖房用ヒーターが底面と側面（４面）にも配置される場合において、側面ヒーター間の連結コードが必要となるが、組込み作業や梱包作業等の取扱いの面から連結コードにはある程度の余長がいる。そのため、側面パネル固定やつき合わせ時にコードの納まりが困難で、作業性が悪いという問題があった。
【０００６】
以上に述べた従来の堀ごたつの床下の箱体の側面に配置される暖房用面状ヒーターの取付構造の問題点は、側面パネル固定やつき合わせ時にコードの納まりが困難で、作業性が悪いというものであった。
【０００７】
【発明が解決しようとする課題】
本発明においては、このような従来の堀ごたつの暖房用面状ヒーターの取付構造が有していた問題や要望を解決することが要求されている。本発明が解決しようとする課題は、堀ごたつの天板下面の暖房用面状ヒーターの取付構造として、表面にネジ等が露出せず、取付部品が少なくて済む取付構造を提供することにある。又、堀ごたつの床下の箱体の側面に配置される暖房用面状ヒーターの取付構造として、側面ヒーター間の連結コードを容易に収めながら、側面ヒーターを固定することができる側面ヒーターの配線収め取付構造を提供することにある。
【０００８】
【課題を解決するための手段】
本発明の請求項１記載の堀ごたつの暖房用面状ヒーターの取付構造は、四つの脚部に外枠部を連結固着するとともに、該外枠部の内面に格子状の暖房用面状ヒーターを収容する切り欠き段部を形成した内枠部を固着してなる堀ごたつ本体の該内枠部上に、天板を載置する堀ごたつの暖房用面状ヒーターの取付構造において、前記堀ごたつ本体の内枠部上の外枠部の内面に相対向する挿入溝を形成するとともに、該挿入溝に天板を挿着するとともに、分割可能な一対の脚部に連設された外枠部を固着することを特徴とする。
【０００９】
したがって、暖房用面状ヒーターを収容する天板を外枠部の内面に相対向する挿入溝に挿入しスライドさせて、堀ごたつの暖房用面状ヒーターを外枠部の内面に格子状の暖房用面状ヒーターを収容する切り欠き段部に収納させることにより、表面にネジ等が露出せず、取付部品が少なくして、堀ごたつの暖房用面状ヒーターの取付ができる。
【００１０】
本発明の請求項２記載の堀ごたつの暖房用面状ヒーターの取付構造は、請求項１記載の切り欠き段部に収容された面状ヒーター上に断熱板を載置し、該堀ごたつ本体の内枠部上に載置された断熱板上の外枠部の内面に相対向する挿入溝を形成するとともに、該挿入溝に天板を挿着するとともに、分割可能な一対の脚部に連設された外枠部を固着することを特徴とする。
【００１１】
したがって、断熱板の断熱効果により、熱効率がよくなる。
【００１２】
本発明の請求項３記載の堀ごたつの暖房用面状ヒーターの取付構造は、請求項１又は請求項２記載の面状ヒーター本体の裏面に合板を固着した面状ヒーターを格子状の内枠部に収容することを特徴とする。
【００１３】
したがって、合板で暖房用面状ヒーターをカバーして安全な取付ができ、表面にネジ等が露出せず、取付部品が少なくして、堀ごたつの暖房用面状ヒーターの取付ができる。
【００１４】
本発明の請求項４記載の堀ごたつの暖房用面状ヒーターの取付構造は、平行する桟材上に合板を固着したパネル本体の内部に面状ヒーターを収容し、面状ヒーターを側端部で連続コード接続する側面ヒーターパネルにおいて、側面ヒーターパネルの両側端の連結部に凹所を設け、連結コードの収め部を形成することを特徴とする。
【００１５】
したがって、側面ヒーター間の連結コードを容易に収めながら、側面ヒーターを固定することができる。
【発明の実施の形態】
（実施形態１）
以下、本発明の実施形態１の堀ごたつの暖房用面状ヒーターの取付構造を、図１及び図２に基づいて説明する。実施形態１の堀ごたつの暖房用面状ヒーターの取付構造は、堀ごたつの座卓部における暖房用面状ヒーターの取付構造である。
【００１６】
堀ごたつの暖房用面状ヒーターの取付構造は、四つの脚部９に外枠部５を連結固着するとともに、該外枠部５の内面に格子状の暖房用面状ヒーター３を収容する切り欠き段部１１を形成した内枠部７を固着してなる堀ごたつ本体の該内枠部上に、天板１を載置する堀ごたつの暖房用面状ヒーターの取付構造において、前記堀ごたつ本体１０の内枠部７上の外枠部５の内面に相対向する挿入溝６を形成するとともに、該挿入溝６に天板１を挿着するとともに、分割可能な一対の脚部８に連設された外枠部を固着する。
【００１７】
したがって、暖房用面状ヒーターを収容する天板を外枠部の内面に相対向する挿入溝に挿入しスライドさせて、堀ごたつの暖房用面状ヒーターを外枠部の内面に格子状の暖房用面状ヒーターを収容する切り欠き段部に収納させることにより、表面にネジ等が露出せず、取付部品が少なくして、堀ごたつの暖房用面状ヒーターの取付ができる。
【００１８】
又、堀ごたつの暖房用面状ヒーターの取付構造は、切り欠き段部１１に収容された面状ヒーター３上に断熱板２を載置し、該堀ごたつ本体の内枠部７上に載置された断熱板上の外枠部５の内面に相対向する挿入溝６を形成するとともに、該挿入溝６に天板１を挿着するとともに、分割可能な一対の脚部８に連設された外枠部を固着する。
【００１９】
したがって、断熱板の断熱効果により、熱効率がよくなる。
【００２０】
又、堀ごたつの暖房用面状ヒーター３の取付構造は、面状ヒーター本体の裏面に合板４を固着した面状ヒーターを格子状の内枠部に収容する。
【００２１】
したがって、合板で暖房用面状ヒーターをカバーして安全な取付ができ、表面にネジ等が露出せず、取付部品が少なくして、堀ごたつの暖房用面状ヒーターの取付ができる。
【００２２】
これにより、ヒーターの取付に金属の露出部がないため、安全である。又、電気部材の金属露出が無く安全であるため、絶縁処理などの必要が無く、そのため、コストが安価となる。
【００２３】
（実施形態２）
以下、本発明の実施形態２の堀ごたつの暖房用面状ヒーターの取付構造を、図３に基づいて説明する。実施形態２の堀ごたつの暖房用面状ヒーターの取付構造は、堀ごたつの床下の箱体の側面に配置される暖房用面状ヒーターの取付構造である。
【００２４】
平行する桟材上に合板を固着したパネル本体の内部に面状ヒーターを収容し、面状ヒーターを側端部で連続コード接続する側面ヒーターパネルにおいて、側面ヒーターパネルの両側端の連結部に凹所を設け、連結コードの収め部を形成する。
【００２５】
これにより、側面パネル固定やつき合わせ時にコードの納まりが良く、作業性が良くなるというものであった。
【００２６】
【発明の効果】
以上のように本発明によれば、堀ごたつの天板下面の暖房用面状ヒーターの取付構造として、表面にネジ等が露出せず、取付部品が少なくて取付ができる。又、堀ごたつの床下の箱体の側面に配置される暖房用面状ヒーターの取付構造として、側面ヒーター間の連結コードを容易に収めながら、側面ヒーターを固定することができる。
【図面の簡単な説明】
【図１】本発明の実施形態１の堀ごたつの座卓部における暖房用面状ヒーターの取付構造の構成を示す斜視図である。
【図２】本発明の実施形態１の堀ごたつの座卓部における暖房用面状ヒーターの取付状態を示す裏面図である。
【図３】本発明の実施形態２の堀ごたつの床下の箱体の側面に配置される暖房用面状ヒーターの取付構造を示し、（ａ）は側面パネルヒーターを示す断面図で、（ｂ）は突き合わせ部を示す断面図で、（ｃ）は連結コードの納まりを示す上面図である。
【図４】従来の堀ごたつの座卓部の構造を示し、（ａ）は三方の外枠に天板の取付を示す斜視図で、（ｂ）は外枠部の取付を示す斜視図で、（ｃ）は座卓部の取付状態を示す斜視図である。
【図５】従来の堀ごたつの座卓部における暖房用面状ヒーターの取付状態を示す裏面図である。
【図６】従来の堀ごたつの床下の箱体の側面に配置される暖房用面状ヒーターの取付構造を示し、（ａ）は側面パネルヒーターを示す断面図で、（ｂ）は連結コードの納まりを示す上面図である。
【符号の説明】
１      天板
２      断熱板
３      暖房用面状ヒーター
４      合板
５      外枠部
６      挿入溝
７      内枠部
８      一対の脚部
９      脚部
１０    堀ごたつ本体
１１    切り欠き段部
【図１】
0003804572.tif 000002
【図２】
0003804572.tif 000003
【図３】
0003804572.tif 000004
【図４】
0003804572.tif 000005
【図５】
0003804572.tif 000006
【図６】
0003804572.tif 000007